(57)【要約】【課題】単体ではステレオ音声を出力できない第１および第２の通信装置を利用してステレオ音声を出力することができるネットワークシステム、音声出力方法、および通信装置を提供する。【解決手段】第１の通信装置１００と右側音声および左側音声の一方を指定する情報を記憶する第２の通信装置２００Ａとを含むネットワークシステム１における音声出力方法が提供される。音声出力方法は、第１の通信装置１００が、外部から音声データを受信するステップと、第１の通信装置１００が、音声データを発信するステップと、第２の通信装置２００Ａが、第１の通信装置１００から音声データを受信するステップと、第２の通信装置２００Ａが、情報に基づいて、受信した音声データの右側音声または左側音声の一方を出力するステップとを備える。【選択図】図１
2012249069.tif 000002
【特許請求の範囲】
【請求項１】
第１の通信装置を備え、前記第１の通信装置は、
第１のスピーカと、
第１のメモリと、
第１の通信インターフェイスと、
外部から受信した音声データを前記第１の通信インターフェイスを介して発信するための第１のプロセッサとを含み、
第２の通信装置をさらに備え、前記第２の通信装置は、
第２のスピーカと、
右側音声および左側音声の一方を指定する第２の情報を記憶する第２のメモリと、
前記第１の通信装置からの前記音声データを受信するための第２の通信インターフェイスと、
前記第２の情報に基づいて、受信した前記音声データの前記右側音声または左側音声の一方を前記第２のスピーカに出力させるための第２のプロセッサとを含む、ネットワークシステム。
【請求項２】
前記第１のメモリは、右側音声および左側音声の他方を指定する第１の情報を記憶し、
前記第１のプロセッサは、前記第１の情報に基づいて、受信した前記音声データの前記右側音声または左側音声の他方を前記第１のスピーカに出力させる、請求項１に記載のネットワークシステム。
【請求項３】
前記第１の通信装置は、前記第１の通信装置の左部に配置される左アンテナと、前記第１の通信装置の右部に配置される右アンテナと、をさらに含み、
前記第１のプロセッサは、
前記左アンテナと前記右アンテナによって検知される、前記第２の通信装置からの信号強度に基づいて、前記第１の通信装置と前記第２の通信装置との位置関係を判断し、
前記第１の通信インターフェイスを介して、前記右側音声および左側音声の一方を指定するための命令を前記第２の通信装置へ送信し、
前記右側音声および左側音声の他方を指定する第１の情報を前記第１のメモリに記憶する、請求項１または２に記載のネットワークシステム。
【請求項４】
前記第１の通信装置は、コードレスホンの親機であって、
前記第２の通信装置は、コードレスホンの子機であって、
前記第１のプロセッサは、前記音声データとして、前記第１の通信インターフェイスを介して外部のサーバからインターネットラジオのデータを受信する、請求項１から３のいずれか１項に記載のネットワークシステム。
【請求項５】
第３の通信装置をさらに備え、前記第３の通信装置は、
第３のスピーカと、
右側音声および左側音声の他方を指定する第３の情報を記憶する第３のメモリと、
前記第１の通信装置からの前記音声データを受信するための第３の通信インターフェイスと、
前記第３の情報に基づいて、受信した前記音声データの前記右側音声または左側音声の他方を前記第３のスピーカに出力させるための第３のプロセッサとを含む、請求項１に記載のネットワークシステム。
【請求項６】
前記第２の通信装置は、前記右側音声および左側音声の一方を指定するための命令を受け付けるための操作部をさらに含み、
前記第２のプロセッサは、
前記命令に基づいて前記第２の情報を前記第２のメモリに記憶し、
前記第２の通信インターフェイスを介して、前記第２の情報を前記第１の通信装置に送信し、
前記第１のプロセッサは、受信した前記第２の情報に基づいて、前記第１の通信インターフェイスを介して、前記右側音声および左側音声の他方を指定する命令を前記第３の通信装置へ送信する、請求項５に記載のネットワークシステム。
【請求項７】
前記第１の通信装置は、前記第１の通信装置の左部に配置される左アンテナと、前記第１の通信装置の右部に配置される右アンテナと、をさらに含み、
前記第１のプロセッサは、
前記左アンテナと前記右アンテナによって検知される、前記第２の通信装置からの信号強度に基づいて、前記第１の通信装置と前記第２の通信装置との位置関係を判断し、
前記第１の通信インターフェイスを介して、前記右側音声および左側音声の一方を指定するための命令を前記第２の通信装置へ送信し、
前記第１の通信インターフェイスを介して、前記右側音声および左側音声の他方を指定するための命令を前記第３の通信装置へ送信する、請求項５に記載のネットワークシステム。
【請求項８】
前記第１の通信装置は、コードレスホンの親機であって、
前記第２の通信装置は、コードレスホンの第１の子機であって、
前記第３の通信装置は、コードレスホンの第２の子機であって、
前記第１のプロセッサは、前記音声データとして、前記第１の通信インターフェイスを介して外部のサーバからインターネットラジオのデータを受信する、請求項５〜７のいずれか１項に記載のネットワークシステム。
【請求項９】
第１の通信装置と右側音声および左側音声の一方を指定する情報を記憶する第２の通信装置とを含むネットワークシステムにおける音声出力方法であって、
前記第１の通信装置が、外部から音声データを受信するステップと、
前記第１の通信装置が、前記音声データを発信するステップと、
前記第２の通信装置が、前記第１の通信装置から前記音声データを受信するステップと、
前記第２の通信装置が、前記情報に基づいて、受信した前記音声データの前記右側音声または左側音声の一方を出力するステップとを備える、音声出力方法。
【請求項１０】
スピーカと、
右側音声および左側音声の一方を指定する情報を記憶するメモリと、
他の通信装置からの音声データを受信するための通信インターフェイスと、
前記情報に基づいて、受信した前記音声データの前記右側音声または左側音声の一方を前記スピーカに出力させるためのプロセッサとを備える、通信装置。
【発明の詳細な説明】
【技術分野】
【０００１】
本発明は、音声データを受信することができる第１の通信装置と、音声を出力するためのスピーカを有する第２の通信装置とを含むネットワークシステム、音声出力方法、および通信装置に関する。
【背景技術】
【０００２】
近年、インターネットを介してラジオ音声のデータを取得できるインターネットラジオが知られている。取得できるラジオ音声のデータには、ステレオ音声のデータとモノラル音声のデータとがある。音声出力装置は、２つのスピーカを利用して、ステレオ音声を出力したり、モノラル音声を出力したりすることができる。
【０００３】
たとえば、特開２００６−２２２９３２号公報（特許文献１）には、ネットワークシステムが開示されている。特開２００６−２２２９３２号公報（特許文献１）によると、移動通信装置機のモノ音源及びステレオ音源出力装置は、ステレオ音源を出力するステレオコーデックと、ステレオコーデックから出力されたステレオ音源を処理するための第１の経路部と、ステレオコーデックから出力されたステレオ音源をモノ音源に処理するための第２の経路部と、第１の経路部及び第２の経路部に連結されてステレオ音源及びモノ音源を再生する音源出力部とを含む。
【先行技術文献】
【特許文献】
【０００４】
【特許文献１】特開２００６−２２２９３２号公報
【発明の概要】
【発明が解決しようとする課題】
【０００５】
しかしながら、ラジオ音声のデータをダウンロードする機器の中にはスピーカが１つしかないがためにステレオ音声を出力できないものがある。
【０００６】
本発明は、かかる問題を解決するためになされたものであり、その目的は、単体ではステレオ音声を出力できない第１および第２の通信装置を利用してステレオ音声を出力することができるネットワークシステム、音声出力方法、および通信装置を提供することである。
【課題を解決するための手段】
【０００７】
この発明のある局面に従うと、第１の通信装置と第２の通信装置とを備えるネットワークシステムが提供される。第１の通信装置は、第１のスピーカと、第１のメモリと、第１の通信インターフェイスと、外部から受信した音声データを第１の通信インターフェイスを介して発信するための第１のプロセッサとを含む。第２の通信装置は、第２のスピーカと、右側音声および左側音声の一方を指定する第２の情報を記憶する第２のメモリと、第１の通信装置からの音声データを受信するための第２の通信インターフェイスと、第２の情報に基づいて、受信した音声データの右側音声または左側音声の一方を第２のスピーカに出力させるための第２のプロセッサとを含む。
【０００８】
好ましくは、第１のメモリは、右側音声および左側音声の他方を指定する第１の情報を記憶する。第１のプロセッサは、第１の情報に基づいて、受信した音声データの右側音声または左側音声の他方を第１のスピーカに出力させる。
【０００９】
好ましくは、第１の通信装置は、第１の通信装置の左部に配置される左アンテナと、第１の通信装置の右部に配置される右アンテナと、をさらに含む。第１のプロセッサは、左アンテナと右アンテナによって検知される、第２の通信装置からの信号強度に基づいて、第１の通信装置と第２の通信装置との位置関係を判断し、第１の通信インターフェイスを介して、右側音声および左側音声の一方を指定するための命令を第２の通信装置へ送信し、右側音声および左側音声の他方を指定する第１の情報を第１のメモリに記憶する。
【００１０】
好ましくは、第１の通信装置は、コードレスホンの親機である。第２の通信装置は、コードレスホンの子機である。
【００１１】
好ましくは、第１のプロセッサは、音声データとして、第１の通信インターフェイスを介して外部のサーバからインターネットラジオのデータを受信する。
【００１２】
好ましくは、ネットワークシステムは、第３の通信装置をさらに備える。第３の通信装置は、第３のスピーカと、右側音声および左側音声の他方を指定する第３の情報を記憶する第３のメモリと、第１の通信装置からの音声データを受信するための第３の通信インターフェイスと、第３の情報に基づいて、受信した音声データの右側音声または左側音声の他方を第３のスピーカに出力させるための第３のプロセッサとを含む。
【００１３】
好ましくは、第２の通信装置は、右側音声および左側音声の一方を指定するための命令を受け付けるための操作部をさらに含む。第２のプロセッサは、命令に基づいて第２の情報を第２のメモリに記憶し、第２の通信インターフェイスを介して、第２の情報を第１の通信装置に送信する。第１のプロセッサは、受信した第２の情報に基づいて、第１の通信インターフェイスを介して、右側音声および左側音声の他方を指定する命令を第３の通信装置へ送信する。
【００１４】
好ましくは、第１の通信装置は、第１の通信装置の左部に配置される左アンテナと、第１の通信装置の右部に配置される右アンテナと、をさらに含む。第１のプロセッサは、左アンテナと右アンテナによって検知される、第２の通信装置からの信号強度に基づいて、第１の通信装置と第２の通信装置との位置関係を判断し、第１の通信インターフェイスを介して、右側音声および左側音声の一方を指定するための命令を第２の通信装置へ送信し、第１の通信インターフェイスを介して、右側音声および左側音声の他方を指定するための命令を第３の通信装置へ送信する。
【００１５】
好ましくは、第１の通信装置は、コードレスホンの親機である。第２の通信装置は、コードレスホンの第１の子機である。第３の通信装置は、コードレスホンの第２の子機である。第１のプロセッサは、音声データとして、第１の通信インターフェイスを介して外部のサーバからインターネットラジオのデータを受信する。
【００１６】
この発明の別の局面に従うと、第１の通信装置と右側音声および左側音声の一方を指定する情報を記憶する第２の通信装置とを含むネットワークシステムにおける音声出力方法が提供される。音声出力方法は、第１の通信装置が、外部から音声データを受信するステップと、第１の通信装置が、音声データを発信するステップと、第２の通信装置が、第１の通信装置から音声データを受信するステップと、第２の通信装置が、情報に基づいて、受信した音声データの右側音声または左側音声の一方を出力するステップとを備える。
【００１７】
この発明の別の局面に従うと、スピーカと、右側音声および左側音声の一方を指定する情報を記憶するメモリと、他の通信装置からの音声データを受信するための通信インターフェイスと、情報に基づいて、受信した音声データの右側音声または左側音声の一方をスピーカに出力させるためのプロセッサとを備える通信装置が提供される。
【発明の効果】
【００１８】
以上のように、本発明によると、単体ではステレオ音声を出力できない第１および第２の通信装置を利用してステレオ音声を出力することができるネットワークシステム、音声出力方法、および通信装置が提供される。
【図面の簡単な説明】
【００１９】
【図１】本実施の形態に係るネットワークシステム１の全体構成を示すイメージ図である。
【図２】本実施の形態に係る親機１００のハードウェア構成を示すブロック図である。
【図３】本実施の形態に係る親機１００のイメージ図である。
【図４】本実施の形態に係る親機１００が外部から受信するラジオ音声データＸを示すイメージ図である。
【図５】本実施の形態に係る親機１００が発信するモノラルのラジオ音声データＺ−１を示すイメージ図である。
【図６】本実施の形態に係る親機１００が発信するステレオのラジオ音声データＹ−１を示すイメージ図である。
【図７】本実施の形態に係る親機１００が発信するステレオのラジオ音声データＹ−２の第１の変形例を示すイメージ図である。
【図８】本実施の形態に係る親機１００が発信するステレオのラジオ音声データＹ−３の第２の変形例を示すイメージ図である。
【図９】本実施の形態に係る親機１００が発信するモノラルのラジオ音声データＺ−２の変形例を示すイメージ図である。
【図１０】本実施の形態に係る親機１００が発信するステレオのラジオ音声データＹ−４の第３の変形例を示すイメージ図である。
【図１１】本実施の形態に係る子機２００のハードウェア構成を示すブロック図である。
【図１２】本実施の形態に係る子機２００における設定処理を示すフローチャートである。
【図１３】本実施の形態に係る親機１００における設定処理を示すフローチャートである。
【図１４】本実施の形態に係る親機１００における通信処理を示すフローチャートである。
【図１５】本実施の形態に係る子機２００における通信処理を示すフローチャートである。
【図１６】本実施の形態に係るネットワークシステム１の変形例の全体構成を示すイメージ図である。
【図１７】本実施の形態に係る親機１００における自動設定処理を示すフローチャートである。
【発明を実施するための形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
以下では、コードレスホンの親機１００を「第１の通信装置」の代表例として説明し、コードレスホンの子機２００Ａを「第２の通信装置」の代表例として説明し、コードレスホンの子機２００Ｂを「第３の通信装置」の代表例として説明する。なお、第１〜第３の通信装置は、スピーカを有する携帯電話やコンピュータであってもよい。
【００２２】
［実施の形態１］
＜ネットワークシステム１の動作概要＞
まず、本実施の形態に係るネットワークシステム１の動作概要について説明する。図１は、本実施の形態に係るネットワークシステム１の全体構成を示すイメージ図である。
【００２３】
図１を参照して、ネットワークシステム１は、親機１００と、第１の子機２００Ａと、第２の子機２００Ｂとを含む。親機１００は、後述する通話用のスピーカと、通話用のマイクと、呼び出し用およびハンズフリーモード用のスピーカと、ハンズフリーモード用のマイクとを有する。ただし、後述する通話用のスピーカと、呼び出し用およびハンズフリーモード用のスピーカとを兼用しても良いし、ハンズフリーモード用のマイクと、通話用のマイクとを兼用しても良い。第１の子機２００Ａおよび第２の子機２００Ｂも、後述する通話用のスピーカと、通話用のマイクと、呼び出し用のスピーカとを有する。ただし、通話用のスピーカと、呼び出し用のスピーカとを兼用しても良い。
【００２４】
親機１００は、インターネット４００などを介して、ＩＰ電話のための通信を行うことができる。親機１００は、屋内のネットワークとして、たとえば、無線ＬＡＮ、ZigBee(登録商標)、Bluetooth（登録商標）、DECT（登録商標）などを利用することによって、第１の子機２００Ａおよび第２の子機２００Ｂと、ＩＰ電話のための通信データを送受信する。換言すれば、第１の子機２００Ａおよび第２の子機２００Ｂは、親機１００を介して、外部の電話機と通話のための通信を行うことができる。
【００２５】
特に、本実施の形態に係る親機１００は、インターネット４００などを介して、外部からラジオ音声のデータもダウンロードすることができる。親機１００は、ラジオ音声データを受信すると、当該ラジオ音声データがステレオ音声データであるかモノラル音声データであるかを判断する。親機１００は、ステレオ音声データを取得した場合には、当該ステレオ音声データを屋内のネットワークに向けてブロードキャストする。
【００２６】
第１の子機２００Ａおよび第２の子機２００Ｂには、右音声を出力すべきであるか左音声を出力すべきであるかを示す情報が格納されている。第１の子機２００Ａは、自身の情報を参照することによって、ステレオ音声データに基づいて、右音声および左音声の一方のみを出力する。第２の子機２００Ｂも、自身の情報を参照することによって、ステレオ音声データに基づいて、右音声および左音声の他方のみを出力する。
【００２７】
このように、本実施の形態に係るネットワークシステム１においては、親機１００、第１の子機２００Ａ、第２の子機２００Ｂの各々が、単体ではステレオ音声を出力することができないにもかかわらず、第１の子機２００Ａおよび第２の子機２００Ｂを利用することによってステレオ音声を出力することができる。
【００２８】
以下、このような機能を実現するための構成について詳述する。
＜親機１００のハードウェア構成＞
本実施の形態に係る第１の通信装置の一例である親機１００のハードウェア構成について説明する。図２は、本実施の形態に係る親機１００のハードウェア構成を示すブロック図である。図３は、本実施の形態に係る親機１００のイメージ図である。
【００２９】
図２および図３を参照して、本実施の形態に係る親機１００は、ＣＰＵ（Central  Processing  Unit）１１０と、ＲＯＭ（Read-Only  Memory）１１１と、ＲＡＭ（Random  Access  Memory）１１２と、ＬＣＤ（Liquid Crystal Display）１１３と、操作部１１４と、ハンドセット１２１と、本体スピーカ１２２と、本体マイク１２３と、右アンテナ１３４Ｒと、左アンテナ１３４Ｌと、外部のネットワークと通信するための通信インターフェイス１５０とを含む。
【００３０】
ＲＯＭ１１１は、ＣＰＵ１１０によって、実行されるプログラムや利用されるデータを格納する。ＲＡＭ１１２は、ＣＰＵ１１０によって、実行中のプログラムや処理されるデータを格納する。
【００３１】
なお、子機２００が１台しかないネットワークシステムにおいては、ＲＯＭ１１１またはＲＡＭ１１２が、親機１００がステレオの右側音声を出力すべきか左側音声を出力すべきかを示す情報を記憶する。
【００３２】
ＬＣＤ１１３は、ＣＰＵ１１０からの信号に基づいて、文字や画像を表示する。たとえば、ＣＰＵ１１０は、ＬＣＤ１１３に、受信中のラジオの放送局や通話相手などを表示させる。
【００３３】
ハンドセット１２１は、図示しない通話音声用マイクと通話音声用スピーカとを含む。ユーザは、ハンドセット１２１を持ち上げることによって、相手と通話することができる。
【００３４】
本体スピーカ１２２は、ＣＰＵ１１０からの信号に基づいて、呼び出し音を出力する。本体スピーカ１２２は、ハンズフリーモードにおいて、ＣＰＵ１１０からの信号に基づいて、通話音声を出力する。本体スピーカ１２２は、ラジオモードにおいて、ラジオのモノラル音声またはステレオの右側音声または左側音声を出力する。
【００３５】
本体マイク１２３は、ハンズフリーモードにおいて、通話音声をＣＰＵ１１０へ入力する。
【００３６】
右アンテナ１３４Ｒは、親機１００の右側に配置される。左アンテナ１３４Ｌは、親機１００の左側に配置される。右アンテナ１３４Ｒおよび左アンテナ１３４Ｌは、無線ＬＡＮ、ZigBee(登録商標)、Bluetooth（登録商標）、DECT（登録商標）などを利用することによって、第１の子機２００Ａおよび第２の子機２００Ｂと通話データを送受信する。右アンテナ１３４Ｒおよび左アンテナ１３４Ｌは、親機１００がステレオ音声データを受信した場合、当該ステレオ音声データを屋内のネットワークに向けてブロードキャストする。
【００３７】
なお、本実施の形態においては、親機１００は、右アンテナ１３４Ｒと左アンテナの代わりに、１つのアンテナ１３４のみを有しても良い。
【００３８】
通信インターフェイス１５０は、インターネット４００などを介して、外部の通信装置（サーバなど）と、通話のための通信を行う。通信インターフェイス１５０は、インターネット４００などを介して、外部のサーバからステレオ音声用またはモノラル音声用のラジオ音声データＸを受信する。
【００３９】
ＣＰＵ１１０は、ＲＯＭ１１１またはＲＡＭ１１２に格納されたプログラムに基づいて、親機１００の各部を制御する。たとえば、ＣＰＵ１１０は、操作部１１４を介してユーザから各種の命令を受け付ける。ＣＰＵ１１０は、通信インターフェイス１５０を介して外部の通信装置とデータの送受信を行う。
【００４０】
図４は、本実施の形態に係る親機１００が外部から受信するラジオ音声データＸを示すイメージ図である。図４を参照して、ＣＰＵ１１０は、ラジオ音声データＸの「Ｎｕｍ  Ｃｈａｎｎｅｌｓ」のデータに基づいて、ラジオ音声データＸがステレオ音声用であるかモノラル音声用であるかを判断する。
【００４１】
図５は、本実施の形態に係る親機１００が発信するモノラルのラジオ音声データＺ−１を示すイメージ図である。図５を参照して、ＣＰＵ１１０は、受信したラジオ音声データＸがモノラル音声用である場合、子機２００Ａ，２００Ｂが解釈可能なラジオ音声データＺ−１を作成する。ラジオ音声データＺ−１のヘッダの音声フラグはＯＦＦにされる。ＣＰＵ１１０は、アンテナ１３４を介して、ラジオ音声データＺ−１をブロードキャストする。ただし、ＣＰＵ１１０は、受信したラジオ音声データＸがモノラル音声用である場合、ラジオ音声データＺ−１を送信せずに、ラジオ音声データＸに基づいて本体スピーカ１２２にモノラル音声を出力させてもよい。
【００４２】
図６は、本実施の形態に係る親機１００が発信するステレオのラジオ音声データＹ−１を示すイメージ図である。図６を参照して、ＣＰＵ１１０は、受信したラジオ音声データＸがステレオ音声用である場合、子機２００Ａ，２００Ｂが解釈可能なラジオ音声データＹ−１を作成する。ラジオ音声データＹ−１のヘッダの音声フラグはＯＮにされる。ラジオ音声データＹ−１は、１つのパケット内に、左音声のデータと右音声のデータとが交互に配置される。ＣＰＵ１１０は、アンテナ１３４を介して、ラジオ音声データＹ−１をブロードキャストする。
【００４３】
図７は、本実施の形態に係る親機１００が発信するステレオのラジオ音声データＹ−２の第１の変形例を示すイメージ図である。図７を参照して、ＣＰＵ１１０は、受信したラジオ音声データＸがステレオ音声用である場合、子機２００Ａ，２００Ｂが解釈可能なラジオ音声データＹ−２を作成する。ラジオ音声データＹ−２のヘッダの音声フラグはＯＮにされる。ラジオ音声データＹ−２は、子機２００Ａ，２００Ｂのバッファメモリの容量が図６の場合よりも大きい場合に利用される。ラジオ音声データＹ−２は、１つのパケット内に、複数の左音声のデータ群と複数の右音声のデータ郡とが交互に配置される。ＣＰＵ１１０は、アンテナ１３４を介して、ラジオ音声データＹ−２をブロードキャストする。
【００４４】
図８は、本実施の形態に係る親機１００が発信するステレオのラジオ音声データＹ−３の第２の変形例を示すイメージ図である。図８を参照して、ＣＰＵ１１０は、受信したラジオ音声データＸがステレオ音声用である場合、子機２００Ａ，２００Ｂが解釈可能なラジオ音声データＹ−３を作成する。ラジオ音声データＹ−３のヘッダの音声フラグはＯＮにされる。ラジオ音声データＹ−３は、子機２００Ａ，２００Ｂのバッファメモリの容量が図７の場合よりも大きい場合に利用される。ラジオ音声データＹ−３は、１つのパケット内に、複数の左音声のデータ群と複数の右音声のデータ郡とが交互に配置される。ＣＰＵ１１０は、アンテナ１３４を介して、ラジオ音声データＹ−３をブロードキャストする。
【００４５】
図９は、本実施の形態に係る親機１００が発信するモノラルのラジオ音声データＺ−２の変形例を示すイメージ図である。図９を参照して、ＣＰＵ１１０は、受信したラジオ音声データＸがモノラル音声用である場合、子機２００Ａ，２００Ｂが解釈可能なラジオ音声データＺ−２を作成する。ラジオ音声データＺ−２のヘッダの音声フラグはＯＦＦにされる。ＣＰＵ１１０は、アンテナ１３４を介して、ラジオ音声データＺ−２をブロードキャストする。ただし、ＣＰＵ１１０は、受信したラジオ音声データＸがモノラル音声用である場合、ラジオ音声データＺ−２を送信せずに、ラジオ音声データＸに基づいて本体スピーカ１２２にモノラル音声を出力させてもよい。
【００４６】
図１０は、本実施の形態に係る親機１００が発信するステレオのラジオ音声データＹ−４の第３の変形例を示すイメージ図である。図１０を参照して、ＣＰＵ１１０は、受信したラジオ音声データＸがステレオ音声用である場合、子機２００Ａ，２００Ｂが解釈可能なラジオ音声データＹ−４を作成する。ラジオ音声データＹ−４のヘッダの音声フラグはＯＮにされる。ラジオ音声データＹ−４は、１つのパケット内に、１つの左音声または右音声のデータが配置される。ＣＰＵ１１０は、アンテナ１３４を介して、ラジオ音声データＹ−４をブロードキャストする。
【００４７】
＜子機２００Ａ，２００Ｂのハードウェア構成＞
本実施の形態に係る第２の通信装置の一例である子機２００Ａ，２００Ｂのハードウェア構成について説明する。以下では、子機２００Ａ，２００Ｂに共通の機能を説明する際には、両者を総称して子機２００という。図１１は、本実施の形態に係る子機２００のハードウェア構成を示すブロック図である。
【００４８】
図１１を参照して、本実施の形態に係る子機２００は、ＣＰＵ２１０と、ＲＯＭ２１１と、ＲＡＭ２１２と、ＬＣＤ２１３と、操作部２１４と、スピーカ２２２と、マイク２２３と、アンテナ２３４とを含む。
【００４９】
ＲＯＭ２１１は、ＣＰＵ２１０によって、実行されるプログラムや利用されるデータを格納する。ＲＡＭ２１２は、ＣＰＵ２１０によって、実行中のプログラムや処理されるデータを格納する。
【００５０】
ＲＯＭ２１１またはＲＡＭ２１２は、子機２００がステレオの右側音声を出力すべきか左側音声を出力すべきかを示す情報を記憶する。
【００５１】
ＬＣＤ２１３は、ＣＰＵ２１０からの信号に基づいて、文字や画像を表示する。たとえば、ＣＰＵ２１０は、ＬＣＤ２１３に、受信中のラジオの放送局や通話相手名などを表示させる。
【００５２】
スピーカ２２２は、ＣＰＵ２１０からの信号に基づいて、呼び出し音を出力する。スピーカ２２２は、ＣＰＵ２１０からの信号に基づいて、通話音声を出力する。スピーカ２２２は、ＣＰＵ２１０からの信号に基づいて、ステレオモードにおいて、ラジオの右側音声および左側音声の一方のみを出力する。スピーカ２２２は、ＣＰＵ２１０からの信号に基づいて、モノラルモードにおいて、ラジオ音声を出力する。
【００５３】
マイク２２３は、通話音声をＣＰＵ１１０へ入力する。
アンテナ２３４は、無線ＬＡＮ、ZigBee(登録商標)、Bluetooth（登録商標）、DECT（登録商標）などを利用することによって、親機１００と他の子機２００とデータを送受信する。より詳細には、アンテナ２３４は、親機１００からブロードキャストされたデータを受信したり、親機１００や他の子機２００と通話データやその他の情報を送受信したりする。
【００５４】
ＣＰＵ２１０は、ＲＯＭ２１１またはＲＡＭ２１２に格納されたプログラムに基づいて、子機２００の各部を制御する。たとえば、ＣＰＵ２１０は、操作部２１４を介してユーザから各種の命令を受け付ける。ＣＰＵ２１０は、アンテナ２３４を介して親機１００および他の子機２００とデータの送受信を行う。
【００５５】
ＣＰＵ２１０は、ステレオ音声用のラジオ音声データＹを受信した場合に、ＲＯＭ２１１またはＲＡＭ２１２に格納されている情報に基づいて、スピーカ２２２に、右側音声および左側音声のいずれか一方を出力させる。なお、第１の子機２００Ａが右側音声を出力する場合には、第２の子機２００Ｂは左側音声を出力する。
【００５６】
＜子機２００における設定処理＞
次に、本実施の形態に係る子機２００における設定処理について説明する。ここでは、図１２は、本実施の形態に係る子機２００における設定処理を示すフローチャートである。
【００５７】
図１２を参照して、ＣＰＵ２１０は、操作部２１４を介して、ユーザからの設定命令を受け付ける（ステップＳ１０２）。すなわち、ユーザは、操作部２１４を介して、子機２００をステレオの右用のスピーカとして利用するための設定命令または左用のスピーカとして利用するための設定命令を入力する。
【００５８】
ＣＰＵ２１０は、子機２００を左用のスピーカとして利用するための設定命令が入力されたか否かを判断する（ステップＳ１０４）。ＣＰＵ２１０は、子機２００を左用のスピーカとして利用するための設定命令が入力された場合（ステップＳ１０４においてＹＥＳである場合）、子機２００が左用のスピーカとして利用される旨の情報をＲＡＭ２１２に格納する（ステップＳ１０６）。ＣＰＵ２１０は、ステップＳ１１０からの処理を実行する。
【００５９】
ＣＰＵ２１０は、子機２００を左用のスピーカとして利用するための設定命令が入力されていない場合（ステップＳ１０４においてＮＯである場合）、すなわち子機２００を右用のスピーカとして利用するための設定命令が入力された場合、子機２００が右用のスピーカとして利用される旨の情報をＲＡＭ２１２に格納する（ステップＳ１０８）。
【００６０】
ＣＰＵ２１０は、アンテナ２３４を介して、子機２００がステレオの右用のスピーカとして利用されるか左用のスピーカとして利用されるかを示す情報を親機１００へ送信する（ステップＳ１１０）。ＣＰＵ２１０は、設定処理を終了する。
【００６１】
＜親機１００における設定処理＞
次に、本実施の形態に係る親機１００における設定処理について説明する。ここでは、図１３は、本実施の形態に係る親機１００における設定処理を示すフローチャートである。
【００６２】
図１３を参照して、ＣＰＵ１１０は、アンテナ１３４を介して、第１の子機２００Ａから第１の子機２００Ａがステレオの右用のスピーカとして利用されるか左用のスピーカとして利用されるかを示す情報を受信する（ステップＳ２０２）。ＣＰＵ１１０は、第１の子機２００Ａがステレオの左用のスピーカとして利用されるか否かを判断する（ステップＳ２０４）。
【００６３】
ＣＰＵ１１０は、第１の子機２００Ａがステレオの左用のスピーカとして利用される場合（ステップＳ２０４においてＹＥＳである場合）、アンテナ１３４を介して、別の子機２００Ｂに子機２００Ｂを右用のスピーカとして利用するための設定命令を送信する（ステップＳ２０６）。ＣＰＵ１１０は、設定処理を終了する。
【００６４】
ＣＰＵ１１０は、第１の子機２００Ａがステレオの左用のスピーカとして利用されない場合（ステップＳ２０４においてＮＯである場合）、すなわち、第１の子機２００Ａがステレオの右用のスピーカとして利用される場合、ＣＰＵ１１０は、アンテナ１３４を介して、別の子機２００Ｂに子機２００Ｂを左用のスピーカとして利用するための設定命令を送信する（ステップＳ２０８）。ＣＰＵ１１０は、設定処理を終了する。
【００６５】
＜親機１００における通信処理＞
次に、本実施の形態に係る親機１００における通信処理について説明する。ここでは、図１４は、本実施の形態に係る親機１００における通信処理を示すフローチャートである。
【００６６】
図１４を参照して、ＣＰＵ１１０は、通信インターフェイス１５０を介して、インターネットラジオのサイトに接続する（ステップＳ３０２）。ＣＰＵ１１０は、通信インターフェイス１５０を介して、外部のサーバからラジオ音声データＸを受信する（ステップＳ３０４）。
【００６７】
ＣＰＵ１１０は、ラジオ音声データＸのヘッダを参照することによって、ラジオ音声データＸがステレオ音声のデータであるか否かを判断する（ステップＳ３０６）。ＣＰＵ１１０は、ラジオ音声データＸがステレオ音声のデータである場合（ステップＳ３０６においてＹＥＳである場合）、ＣＰＵ１１０は、ラジオ音声データＸから子機２００が解釈可能なステレオのラジオ音声データＹを作成する（ステップＳ３０８）。ＣＰＵ１１０は、送信用のラジオ音声データＹの音声フラグをＯＮにする（ステップＳ３１０）。ＣＰＵ１１０は、ステップＳ３１６からの処理を実行する。
【００６８】
ＣＰＵ１１０は、ラジオ音声データＸがモノラル音声のデータである場合（ステップＳ３０６においてＮＯである場合）、ＣＰＵ１１０は、ラジオ音声データＸから子機２００が解釈可能なモノラルのラジオ音声データＺを作成する（ステップＳ３１２）。ＣＰＵ１１０は、送信用のラジオ音声データＺの音声フラグをＯＦＦにする（ステップＳ３１４）。
【００６９】
ＣＰＵ１１０は、アンテナ１３４を利用することによって、作成したラジオ音声データＹ，Ｚを子機２００へとブロードキャスト送信する（ステップＳ３１６）。ＣＰＵ１１０は、操作部１１４を介して、インターネットラジオの視聴を終了する旨の命令を受け付けたか否かを判断する（ステップＳ３１８）。ＣＰＵ１１０は、当該命令を受け付けていない場合（ステップＳ３１８においてＮＯである場合）、ステップＳ３０４からの処理を繰り返す。ＣＰＵ１１０は、当該命令を受け付けた場合（ステップＳ３１８においてＹＥＳである場合）、通信処理を終了する。
【００７０】
＜子機２００における通信処理＞
次に、本実施の形態に係る子機２００における通信処理について説明する。ここでは、図１５は、本実施の形態に係る子機２００における通信処理を示すフローチャートである。
【００７１】
図１５を参照して、ＣＰＵ２１０は、アンテナ２３４を介して、親機１００からのラジオ音声データＹ，Ｚを受信する（ステップＳ４０２）。ＣＰＵ２１０は、ラジオ音声データＹ，Ｚがステレオ音声のデータであるか否かを判断する（ステップＳ４０４）。すなわち、ＣＰＵ２１０は、ラジオ音声データの音声フラグがＯＮであるか否かを判断する。
【００７２】
ＣＰＵ２１０は、音声フラグがＯＮである場合（ステップＳ４０４においてＹＥＳである場合）、ＲＡＭ２１２に記憶されている情報を参照して、自身（子機２００）が左音声を出力すべきか否かを判断する（ステップＳ４０６）。ＣＰＵ２１０は、自身（子機２００）が左音声を出力すべき場合（ステップＳ４０６においてＹＥＳである場合）、ラジオ音声データＹに基づいて、スピーカ２２２に左音声のみを出力させる。ＣＰＵ２１０は、ステップＳ４１４からの処理を実行する。
【００７３】
ＣＰＵ２１０は、自身（子機２００）が左音声を出力すべきでない場合（ステップＳ４０６においてＮＯである場合）、ラジオ音声データＹに基づいて、スピーカ２２２に右音声のみを出力させる（ステップＳ４１０）。ＣＰＵ２１０は、ステップＳ４１４からの処理を実行する。
【００７４】
ＣＰＵ２１０は、音声フラグがＯＦＦである場合（ステップＳ４０４においてＮＯである場合）、ラジオ音声データＺに基づいて、スピーカ２２２に、モノラル音声を出力させる（ステップＳ４１２）。
【００７５】
ＣＰＵ２１０は、親機１００からのラジオ音声データの受信が終了したか否かを判断する（ステップＳ４１４）。ＣＰＵ２１０は、親機１００からのラジオ音声データの受信が終了していない場合（ステップＳ４１４においてＮＯである場合）、ステップＳ４０２からの処理を繰り返す。ＣＰＵ１１０は、親機１００からのラジオ音声データの受信が終了した場合（ステップＳ４１４においてＹＥＳである場合）、通信処理を終了する。
【００７６】
＜ネットワークシステムの変形例＞
なお、本実施の形態においては、第１の子機２００Ａが右用のスピーカとして動作し、第２の子機２００Ｂが左用のスピーカとして動作する。しかしながら、親機１００が、第１の子機２００Ａの役割を果たしてもよい。
【００７７】
図１６は、本実施の形態に係るネットワークシステム１の変形例の全体構成を示すイメージ図である。図１６に示すように、親機１００が右用のスピーカとして動作し、第２の子機２００Ｂが左用のスピーカとして動作してもよい。逆に、親機１００が、第２の子機２００Ｂの役割を果たしてもよい。すなわち、親機１００が左用のスピーカとして動作し、第１の子機２００Ａが右用のスピーカとして動作してもよい。
【００７８】
［実施の形態２］
次に、本発明の実施の形態２について説明する。上述の実施の形態１に係るネットワークシステム１では、ユーザが子機２００を左用のスピーカとして利用するための制御命令または右用のスピーカとして利用するための制御命令を入力するものであった。しかしながら、本実施の形態においては、親機１００と子機２００とが自動で、自身が左用のスピーカとして動作すべきか右用のスピーカとして動作すべきかを決定するものである。
【００７９】
すなわち、両者は親機１００における設定処理に関して異なる。以下では、親機１００における自動設定処理について説明する。図１７は、本実施の形態に係る親機１００における自動設定処理を示すフローチャートである。
【００８０】
図１７を参照して、ＣＰＵ１１０は、アンテナ１３４Ｌ，１３４Ｒを利用して、第１の子機２００Ａに対してビーコン電波を発信する（ステップＳ５０２）。ＣＰＵ１１０は、左アンテナ１３４Ｌと右アンテナ１３４Ｒにて、第１の子機２００Ａからのビーコン応答を受信する（ステップＳ５０４）。
【００８１】
ＣＰＵ１１０は、左アンテナ１３４Ｌで受信されたビーコン応答の強度が、右アンテナ１３４Ｒで受信されたビーコン応答の強度よりも強いか否かを判断する（ステップＳ５０６）。左アンテナ１３４Ｌで受信されたビーコン応答の強度が、右アンテナ１３４Ｒで受信されたビーコン応答の強度よりも強い場合（ステップＳ５０６においてＹＥＳである場合）、ＣＰＵ１１０は、左アンテナ１３４Ｌを介して第１の子機２００Ａに左用のスピーカとして動作するための制御命令を送信する（ステップＳ５０８）。
【００８２】
ＣＰＵ１１０は、第２の子機２００Ｂが存在するか否かを判断する（ステップＳ５１０）。たとえば、ＣＰＵ１１０は、操作部１１４を介して、ユーザから第２の子機２００Ｂが存在するか否かを示す情報を受け付けたり、第２の子機２００Ｂからのビーコン応答を受信したりして、第２の子機２００Ｂが存在するか否かを判断する。
【００８３】
第２の子機２００Ｂが存在する場合（ステップＳ５１０においてＹＥＳである場合）、ＣＰＵ１１０は、右アンテナ１３４Ｒを介して第２の子機２００Ｂに右用のスピーカとして動作するための制御命令を送信する（ステップＳ５１２）。ＣＰＵ１１０は、自動設定処理を終了する。
【００８４】
第２の子機２００Ｂが存在しない場合（ステップＳ５１０においてＮＯである場合）、ＣＰＵ１１０は、親機１００を右用のスピーカして利用する旨の情報をＲＡＭ１１２に格納する（ステップＳ５１４）。ＣＰＵ１１０は、自動設定処理を終了する。
【００８５】
左アンテナ１３４Ｌで受信されたビーコン応答の強度が、右アンテナ１３４Ｒで受信されたビーコン応答の強度よりも弱い場合（ステップＳ５０６においてＮＯである場合）、ＣＰＵ１１０は、右アンテナ１３４Ｒを介して第１の子機２００Ａに右用のスピーカとして動作するための制御命令を送信する（ステップＳ５１６）。
【００８６】
ＣＰＵ１１０は、第２の子機２００Ｂが存在するか否かを判断する（ステップＳ５１８）。たとえば、ＣＰＵ１１０は、操作部１１４を介して、ユーザから第２の子機２００Ｂが存在するか否かを示す情報を受け付けたり、第２の子機２００Ｂからのビーコン応答を受信したりして、第２の子機２００Ｂが存在するか否かを判断する。
【００８７】
第２の子機２００Ｂが存在する場合（ステップＳ５１８においてＹＥＳである場合）、ＣＰＵ１１０は、左アンテナ１３４Ｌを介して第２の子機２００Ｂに左用のスピーカとして動作するための制御命令を送信する（ステップＳ５２０）。ＣＰＵ１１０は、自動設定処理を終了する。
【００８８】
第２の子機２００Ｂが存在しない場合（ステップＳ５１８においてＮＯである場合）、ＣＰＵ１１０は、親機１００を左用のスピーカして利用する旨の情報ＲＡＭ１１２に格納する（ステップＳ５２２）。ＣＰＵ１１０は、自動設定処理を終了する。
【００８９】
なお、ＣＰＵ１１０は、ステップＳ５０４において、左アンテナ１３４Ｌと右アンテナ１３４Ｒにて、第１の子機２００Ａおよび第２の子機２００Ｂからのビーコン応答を受信してもよい。
【００９０】
そして、ＣＰＵ１１０は、ステップＳ５０６において、左アンテナ１３４Ｌで受信された第１の子機２００Ａのビーコン応答の強度が、右アンテナ１３４Ｒで受信された第１の子機２００Ａのビーコン応答の強度よりも強いか否かを判断するとともに、左アンテナ１３４Ｌで受信された第２の子機２００Ｂのビーコン応答の強度が、右アンテナ１３４Ｒで受信された第２の子機２００Ｂのビーコン応答の強度よりも強いか否かを判断してもよい。
【００９１】
そして、左アンテナ１３４Ｌで受信された第１の子機２００Ａのビーコン応答の強度が、右アンテナ１３４Ｒで受信された第１の子機２００Ａのビーコン応答の強度よりも強く、かつ、左アンテナ１３４Ｌで受信された第２の子機２００Ｂのビーコン応答の強度が、右アンテナ１３４Ｒで受信された第２の子機２００Ｂのビーコン応答の強度よりも強い場合に、ＣＰＵ１１０は、「子機の位置を変更して下さい」という旨の警告をＬＣＤ１１３に表示させてもよい。
【００９２】
また、左アンテナ１３４Ｌで受信された第１の子機２００Ａのビーコン応答の強度が、右アンテナ１３４Ｒで受信された第１の子機２００Ａのビーコン応答の強度よりも弱く、かつ、左アンテナ１３４Ｌで受信された第２の子機２００Ｂのビーコン応答の強度が、右アンテナ１３４Ｒで受信された第２の子機２００Ｂのビーコン応答の強度よりも弱い場合に、ＣＰＵ１１０は、「子機の位置を変更して下さい」という旨の警告をＬＣＤ１１３に表示させてもよい。
【００９３】
その後、所定期間経過後に、または、ユーザから位置の変更が終了した旨の命令を受け付けた際に、ステップＳ５０６の処理を繰り返してもよい。
【００９４】
＜本実施の形態に係るネットワークシステム１のその他の適用例＞
本発明は、システム或いは装置にプログラムを供給することによって達成される場合にも適用できることはいうまでもない。そして、本発明を達成するためのソフトウェアによって表されるプログラムを格納した記録媒体を、システム或いは装置に供給し、そのシステム或いは装置のコンピュータ（又はＣＰＵやＭＰＵ）が記録媒体に格納されたプログラムコードを読出し実行することによっても、本発明の効果を享受することが可能となる。
【００９５】
この場合、記録媒体から読出されたプログラムコード自体が前述した実施の形態の機能を実現することになり、そのプログラムコードを記憶した記録媒体は本発明を構成することになる。
【００９６】
プログラムコードを供給するための記録媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【００９７】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【００９８】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【００９９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１００】
１  ネットワークシステム、１００  親機、１１０，２１０  ＣＰＵ、１１１，２１１  ＲＯＭ、１１２，２１２  ＲＡＭ、１１３，２１３  ＬＣＤ、１１４，２１４  操作部、１２１  ハンドセット、１２２  本体スピーカ、１２３  本体マイク、１３４，１３４Ｌ，１３４Ｒ，２３４  アンテナ、１５０  通信インターフェイス、２００，２００Ａ，２００Ｂ  子機、２２２  スピーカ、２２３  マイク、４００  インターネット。
【図１】
2012249069.tif 000003
【図２】
2012249069.tif 000004
【図３】
2012249069.tif 000005
【図４】
2012249069.tif 000006
【図５】
2012249069.tif 000007
【図６】
2012249069.tif 000008
【図７】
2012249069.tif 000009
【図８】
2012249069.tif 000010
【図９】
2012249069.tif 000011
【図１０】
2012249069.tif 000012
【図１１】
2012249069.tif 000013
【図１２】
2012249069.tif 000014
【図１３】
2012249069.tif 000015
【図１４】
2012249069.tif 000016
【図１５】
2012249069.tif 000017
【図１６】
2012249069.tif 000018
【図１７】
2012249069.tif 000019